(57)【要約】      （修正有）【課題】自動販売機への積算電力計の固定に好適で、容易に積算電力計の計測値を読み取ることができ、又、自動販売機に対し特別の加工を施さずに簡便に設置が可能な電力計固定器具を提供する。【解決手段】積算電力計６を自動販売機に固定するためのブックエンド型形状の固定器具であり、自動販売機の天板の接地面に平行に延びる基部１と、この基部の一方端から略垂直に立設する立設部２と、この立設部から基部とは反対方向に平行に延びる舌片部３とで構成する。また、立設部に積算電力計およびコンセントを固定し、基部および／又は舌片部３を天板に固着することを特徴として自動販売機の電力計固定器具を構成する。【選択図】図２
0003158436.tif 000002
【実用新案登録請求の範囲】
【請求項１】
積算電力計を自動販売機に固定するためのブックエンド型形状の固定器具であり、自動販売機の天板の接地面に平行に延びる基部と、この基部の一方端から略垂直に立設する立設部と、この立設部から基部とは反対方向に平行に延びる舌片部とで構成されており、立設部に積算電力計およびコンセントを固定し、基部および／又は舌片部を天板に固着することを特徴とする自動販売機の電力計固定器具。
【請求項２】
電力計固定器具の立設部にコンセント埋め込み用の穴が設置されたものである請求項１記載の自動販売機の電力計固定器具。
【考案の詳細な説明】
【技術分野】
【０００１】  本考案は、自動販売機の電力計固定器具に関し、詳しくは、自動販売機への積算電力計の固定に好適で、容易に積算電力計の計測値を読み取ることができ、又、自動販売機に対し特別の加工を施さずに簡便に設置が可能な電力計固定器具に関する。
【背景技術】
【０００２】  自動販売機内には、飲料、タバコ、食物などの商品が納められており、これらの商品が収納された収納部から商品を搬送する搬送装置、蛍光灯などで商品を照らし出すための照明装置、金銭の受け取り、収納、返却などを行う金銭収納装置、これら装置を制御する制御装置など、電力を消費する各種装置が備えられている。又、自動販売機内には、一般に、各種装置に安定的に電力を供給するブレーカ付きの主電源装置が備えられており、主電源装置は、コンセントを介して、電力供給源に接続される。【０００３】  自動販売機で消費される電力の計測は、自動販売機の電力料金、運転コストを管理する上で極めて有効である。自動販売機で消費される電力を正確に計測する手段としては、特許文献１のごとく、積算電力計を自動販売機内に備え、前記各種装置で消費される電力量を積算電力計で計測する事例が開示されている。【０００４】  しかしながら、該先行文献では、積算電力計を自動販売機内に備えていたため、電力の読み取りの際は扉の開閉が必要となり、常時に計測値を読み取ることは困難であった。又、自動販売機に積算電力計を設置するために有効な電力計固定器具や、自動販売機に対し特別の加工を施さずに簡便に設置が可能な電力計固定器具が望まれていた。
【先行技術文献】
【特許文献】
【０００５】
【特許文献１】特開平０９−２６５５６６号公報
【考案の概要】
【考案が解決しようとする課題】
【０００６】  本考案は上記従来の問題点に着目してなされたものであり、自動販売機への積算電力計の固定に好適で、容易に積算電力計の計測値を読み取ることができ、又、自動販売機に対し特別の加工を施さずに簡便に設置が可能な電力計固定器具を提供することを目的とする。
【課題を解決するための手段】
【０００７】  上記の課題を解決すべく、本考案は以下の構成を提供する。請求項１の考案は、積算電力計を自動販売機に固定するためのブックエンド型形状の固定器具であり、自動販売機の天板の接地面に平行に延びる基部と、この基部の一方端から略垂直に立設する立設部と、この立設部から基部とは反対方向に平行に延びる舌片部とで構成されており、立設部に積算電力計およびコンセントを固定し、基部および／又は舌片部を天板に固着することを特徴とする自動販売機の電力計固定器具である。【０００８】  請求項２の考案は、電力計固定器具の立設部にコンセント埋め込み用の穴が設置されたものである請求項１記載の自動販売機の電力計固定器具である。
【考案の効果】
【０００９】  以上のように本考案によれば、積算電力計を自動販売機に簡便かつ安定的に固定することができるとともに、自動販売機の扉の開閉なしに常時に電力の計測値を読み取ることができ、電力料金を容易に算出できるため、自動販売機の運転コストを管理する上で極めて有効である。
【図面の簡単な説明】
【００１０】
【図１】本考案の第１の実施の形態にかかる自動販売機の電力計固定器具の斜視図である。
【図２】本考案の第１の実施の形態にかかる自動販売機の電力計固定器具の斜視図である。
【図３】本考案の第１の実施の形態にかかる自動販売機の電力計固定器具の背面図である。
【図４】本考案の第１の実施の形態にかかる自動販売機の電力計固定器具の正面図である。
【図５】本考案の第２の実施の形態にかかる自動販売機の電力計固定器具の斜視図である。
【図６】本考案の第２の実施の形態にかかる自動販売機の電力計固定器具の斜視図である。
【考案を実施するための形態】
【００１１】  以下、本考案の第１の実施の形態にかかる自動販売機の電力計固定器具を図１から図４の図面に従って説明する。本考案の電力計固定器具は、ブックエンド型の形状をしており、図１において、符号１から符号３は、本考案の電力計固定器具を構成する各部を示している。符号１は自動販売機の天板の接地面に平行に延びる基部を表しており、符号２はこの基部の一方端から略垂直に立設する立設部を表しており、又、符号３はこの立設部から基部とは反対方向に平行に延びる舌片部を表している。又、符号４は立設部に積算電力計、コンセント、および、計器箱固定用を固定するための穴を表しており、符号５は配線固定用の穴を表している。これらの穴開けされた部分は、必要に応じて、位置、数等を任意に選ぶことができる。本考案の電力計固定器具は、立設部に積算電力計およびコンセントを固定し、基部および／又は舌片部を天板に固着することにより使用することができる。
【００１２】  本考案の電力計固定器具の材質としては、ステンレス、炭素鋼、鉄、銅、アルミ、真鍮、などの金属、プラスチック、およびプラスチックに充填材などを配合した強化プラスチックなど、従来公知の素材から選ぶことができる。又、塗装やメッキなどの加工を施しても良い。本考案の電力計固定器具を構成する各部の厚みは、好ましくは、０．５ｍｍ以上、１０ｍｍ以下であり、特に、１．５ｍｍ以上、６ｍｍ以下が好ましい。例えば、厚さ２ｍｍのステンレス材などが例示される。
【００１３】  次に、本考案の電力計固定器具に積算電力計を固定した状態の斜視図を図２に示す。ここで、符号６は積算電力計を表し、符号７は計器箱を表している。又、符号８は、電力供給源と積算電力計とを結ぶ電源コードを表している。本考案の積算電力計の具体例としては、三菱電機株式会社製の１００Ｖ、５０Ｈｚ／６０Ｈｚ仕様の積算電力計などが挙げられる。又、本考案の電力計固定器具を屋外で使用する場合には、積算電力計を保護する計器箱の使用が好適であり、例えば、内外電機株式会社製プラスチック計器箱Ｓ型などを用いることができる。
【００１４】  次に、本考案の電力計固定器具に積算電力計を固定した状態の背面図を図３に示す。積算電力計は、例えば、電力計固定器具の立設部の上部に符号９で示すようなフックで掛けることができる。又、前記符号４の固定用の穴を用い、ネジ止めにより固定することができる。符号１０は防水型コンセントを表しており、同じく、前記符号４の固定用の穴を用い、ネジ止めにより固定することができる。符号１１は計器箱固定用のネジを表しており、計器箱を固定している。符号１２は積算電力計とコンセントとを結ぶコードを表している。又、符号１３は電力供給源と積算電力計とを結ぶ電源コードを固定するためのネジを表している。本考案の電力計固定器具に使用する積算電力計は、自動販売機の電源コードを符号１０のコンセントに繋ぐことにより用い、自動販売機で消費される電力を計測し、自動販売機運転に関する電力料金を算出することができ、自動販売機の運転コストを管理することが可能となる。
【００１５】  次に、本考案の電力計固定器具に積算電力計を固定し、さらにこれを自動販売機に固着した状態の正面図を図４に示す。本考案に使用する自動販売機の外観は例えば符号１４から符号２５で示すような一般的な自動販売機の構成を有し、本考案の電力計固定器具は、符号１５で表す自動販売機の天板上に設置をする。本考案の電力計固定器具の自動販売機への設置に際しては、電力計固定器具の基部および／又は舌片部を自動販売機天板に固着することが必要である。特に、基部および舌片部の両方を自動販売機天板に固着することが好ましい。電力計固定器具の基部および／又は舌片部を自動販売機天板に固着する方法としては、粘着テープ、接着テープ、粘着剤、接着剤などの従来公知の接着方法にて接着する方法、ネジ止めなどにより固着する方法などが挙げられる。
【００１６】  次に、本考案の第２の実施の形態にかかる自動販売機の電力計固定器具を図５および図６の図面に従って説明する。本考案の電力計固定器具は、図５の符号２６に示すように、コンセント埋め込み用の穴を電力計固定器具の立設部に設けることもできる。コンセント埋め込み用の穴を用いることにより、図６に示すように、符号２７のコンセントカバーと符号２８のコンセント背面とを嵌め合わすことにより、コンセントの埋め込みができ、符号２９のコンセント口を設けることができる。さらに、自動販売機の電源コードを該コンセントに繋ぐことにより積算電力計を用い、自動販売機で消費される電力を計測し、自動販売機運転に関する電力料金を算出することができる。
【００１７】  ここで図６で示した形態は、本考案の電力計固定器具を屋内で使用する場合に好適であり、前記符号７の計器箱、又、前記符号１０の防水型コンセントを用いずに、積算電力計を使用することができる。
【００１８】  上記のように本考案の電力計固定器具は、屋外、屋内ともに自動販売機への積算電力計の固定に好適で、容易に積算電力計の計測値を読み取ることができ、又、自動販売機に対し特別の加工を施さずに簡便に設置が可能である。これにより、自動販売機運転に関する電力料金を算出することができ、自動販売機の運転コストを容易に管理することが可能となる。
【００１９】  以上、本考案の実施の形態について詳述してきたが、具体的な構成はこの実施の形態に限られたものではない。本考案の電力計固定器具を構成する基部、立設部、舌片部の形状、大きさ、又、本考案の電力計固定器具への積算電力計やコンセントの固定位置、向きなどは、本考案の要旨を逸脱しない範囲において、使用する自動販売機の形状、大きさ、又、使用する積算電力計やコンセントの形状、大きさなどに応じて自由に選択することができ、この範囲において設計の変更などがあっても本考案に含まれる。
【符号の説明】
【００２０】１    電力計固定器具の基部
２    電力計固定器具の立設部
３    電力計固定器具の舌片部
４    積算電力計、コンセント、および、計器箱固定用の穴
５    配線固定用の穴
６    積算電力計
７    計器箱
８    電源コード
９    積算電力計を電力計固定器具の立設部に掛けるフック
１０  防水型コンセント
１１  計器箱固定用のネジ
１２  積算電力計とコンセントとを結ぶコード
１３  配線固定用のネジ
１４  自動販売機の本体
１５  自動販売機の天板
１６  展示用商品窓
１７  商品展示用
１８  硬貨の金銭投入部
１９  紙幣の金銭投入部
２０  金銭返却レバー部
２１  金銭表示部
２２  ロックレバー
２３  鍵部
２４  金銭返却部
２５  商品受け取り口
２６  コンセント埋め込み用の穴
２７  コンセントカバー
２８  コンセント背面
２９  コンセント口
【図１】
0003158436.tif 000003
【図２】
0003158436.tif 000004
【図３】
0003158436.tif 000005
【図４】
0003158436.tif 000006
【図５】
0003158436.tif 000007
【図６】
0003158436.tif 000008